(57)【要約】【課題】両眼立体視用の画像を左右反転して表示する際に正しい立体感を観察者に知覚させる。【解決手段】表示制御装置は、取得した両眼立体視に係る左眼用及び右眼用の画像に画像の左右を反転する画像処理が適用される場合に、左右反転された左眼用の画像を、表示装置において右眼用として表示される右眼用表示出力として出力する。また左右反転された右眼用の画像を、表示装置において左眼用として表示される左眼用表示出力として出力する。そして表示装置は、これらの左眼用及び右眼用の画像を両眼立体視可能に表示する。【選択図】図５
2014057219.tif 000002
【特許請求の範囲】
【請求項１】
両眼立体視に係る左眼用及び右眼用の画像を取得する取得手段と、
前記取得手段により取得された前記左眼用及び右眼用の画像に対し、表示用の画像処理を適用する画像処理手段と、
前記画像処理手段により前記表示用の画像処理が適用された前記左眼用及び右眼用の画像を両眼立体視可能に表示する表示装置に出力する表示出力手段と、を有し、
前記表示出力手段は、前記表示装置において左眼用として表示される画像を出力する左眼用表示出力手段と、前記表示装置において右眼用として表示される画像を出力する右眼用表示出力手段と、有し、
前記表示出力手段は、前記画像処理手段により画像の左右を反転する画像処理が適用される場合に、左右反転された前記左眼用の画像を前記右眼用表示出力手段に出力させ、左右反転された前記右眼用の画像を前記左眼用表示出力手段に出力させる
ことを特徴とする表示制御装置。
【請求項２】
前記左眼用表示出力手段と前記右眼用表示出力手段とは、交互に画像を出力することを特徴とする請求項１に記載の表示制御装置。
【請求項３】
前記表示装置は、前記左眼用表示出力手段と前記右眼用表示出力手段による出力が切り替わるタイミングに同期して、観察者の眼球に入射する表示内容に対応する光を左眼及び右眼について交互に遮蔽する遮蔽手段を使用して観察者が観察する表示装置であり、
前記左眼用表示出力手段は、前記遮蔽手段により観察者の右眼に入射する光が遮蔽され、左眼に入射する光が遮蔽されない際に前記表示装置に表示される画像を出力し、
前記右眼用表示出力手段は、前記遮蔽手段により観察者の左眼に入射する光が遮蔽され、右眼に入射する光が遮蔽されない際に前記表示装置に表示される画像を出力する
ことを特徴とする請求項２に記載の表示制御装置。
【請求項４】
前記遮蔽手段により観察者の左眼及び右眼が遮蔽されるタイミングを前記遮蔽手段に指示する指示手段をさらに有し、
前記指示手段は、前記画像処理手段により画像の左右を反転する画像処理が適用される場合に、該画像処理が適用されない場合における観察者の左眼が遮蔽されるタイミングと観察者の右眼が遮蔽されるタイミングとを入れ替えて指示する
ことを特徴とする請求項３に記載の表示制御装置。
【請求項５】
前記表示装置は、前記左眼用表示出力手段と前記右眼用表示出力手段による出力が切り替わるタイミングに同期して、観察者の左眼及び右眼の各々に適用されるフィルタに対応するフィルタを交互に画像に適用して表示する表示装置であり、
前記左眼用表示出力手段は、前記表示装置において観察者の左眼に適用されるフィルタに対応するフィルタが適用される際に前記表示装置に表示される画像を出力し、
前記右眼用表示出力手段は、前記表示装置において観察者の右眼に適用されるフィルタに対応するフィルタが適用される際に前記表示装置に表示される画像を出力する
ことを特徴とする請求項２に記載の表示制御装置。
【請求項６】
前記表示装置が表裏を反転して設置されたことを検出する検出手段をさらに有し、
前記画像処理手段は、前記検出手段により前記表示装置が表裏を反転して設置されたことが検出された場合に、前記画像の左右を反転する画像処理を適用する
ことを特徴とする請求項１乃至５のいずれか１項に記載の表示制御装置。
【請求項７】
前記表示装置は、前記左眼用表示出力手段により出力された画像及び前記右眼用表示出力手段により出力された画像を同時に表示する裸眼立体視可能な表示装置であり、
前記表示制御装置は、前記表示装置の設置状態を検出する検出手段をさらに有し、
前記左眼用表示出力手段は、前記検出手段により検出された前記表示装置の設置状態において、観察者の左眼用に前記表示装置で表示される画像を出力し、
前記右眼用表示出力手段は、前記検出手段により検出された前記表示装置の設置状態において、観察者の右眼用に前記表示装置で表示される画像を出力する
ことを特徴とする請求項１に記載の表示制御装置。
【請求項８】
前記画像処理手段は、前記検出手段により検出された前記表示装置の設置状態を表裏反転したと判断する場合に、前記画像の左右を反転する画像処理を適用することを特徴とする請求項７に記載の表示制御装置。
【請求項９】
両眼立体視に係る左眼用及び右眼用の画像を撮影する撮影手段と、
前記撮影手段により被写体を撮影する撮影モード、及び記録手段に記録されている画像を再生する再生モードを少なくとも含む撮像装置のモードのいずれかのモードを設定する設定手段と、
請求項１乃至８のいずれか１項に記載の表示制御装置と、を有する撮像装置であって、
前記表示制御装置の画像処理手段は、前記設定手段により前記撮影モードが設定されている場合に、画像の左右を反転する画像処理を適用する
ことを特徴とする撮像装置。
【請求項１０】
表示制御装置の取得手段が、両眼立体視に係る左眼用及び右眼用の画像を取得する取得工程と、
前記表示制御装置の画像処理手段が、前記取得工程において取得された前記左眼用及び右眼用の画像に対し、表示用の画像処理を適用する画像処理工程と、
前記表示制御装置の表示出力手段が、前記画像処理工程において前記表示用の画像処理が適用された前記左眼用及び右眼用の画像を両眼立体視可能に表示する表示装置に出力する表示出力工程と、を有し、
前記表示出力手段は、前記表示装置において左眼用として表示される画像を出力する左眼用表示出力手段と、前記表示装置において右眼用として表示される画像を出力する右眼用表示出力手段と、有し、
前記表示出力手段は前記表示出力工程において、前記画像処理工程において画像の左右を反転する画像処理が適用される場合に、左右反転された前記左眼用の画像を前記右眼用表示出力手段に出力させ、左右反転された前記右眼用の画像を前記左眼用表示出力手段に出力させる
ことを特徴とする表示制御装置の制御方法。
【請求項１１】
コンピュータを、請求項１乃至８のいずれか１項に記載の表示制御装置の各手段として機能させるためのプログラム。
【請求項１２】
請求項１１に記載のプログラムを記録した、コンピュータが読み取り可能な記録媒体。
【発明の詳細な説明】
【技術分野】
【０００１】
本発明は、表示制御装置、撮像装置、制御方法、プログラム、及び記録媒体に関し、特に両眼立体視可能な表示装置における表示技術に関する。
【背景技術】
【０００２】
デジタルカメラやデジタルビデオカメラ等の撮像装置の中には、撮影時にスルー画像を表示することで電子ビューファインダとして機能する表示装置を、回転によって被写体側に表示面を向けることが可能なものがある。表示装置の回転は、例えば撮影者が自分を撮影する場合において、撮影内容を確認するために行われる。このように被写体側に撮影内容を表示する場合、表示装置の表示内容は、被写体に撮影範囲が認識されやすいように、通常表示される画像とは左右が反転した、所謂鏡像関係にある画像が表示される（特許文献１）。
【０００３】
一方、両眼立体視可能な画像を撮影可能な撮像装置がある。このような撮像装置の中には、スルー画像や撮影した画像を両眼立体視可能に表示する表示装置を備えるものもある（特許文献２）。
【先行技術文献】
【特許文献】
【０００４】
【特許文献１】特許第４０６５４６４号公報
【特許文献２】特開平９−１８２１１３号公報
【発明の概要】
【発明が解決しようとする課題】
【０００５】
しかしながら、両眼立体視可能な表示装置を有する撮像装置において、表示装置の表示面を被写体側に向け、特許文献１のように左眼用及び右眼用の画像を左右反転して表示した場合、正しい立体感が被写体側の観察者に知覚されないことがあった。
【０００６】
本発明は、上述の問題点に鑑みてなされたものであり、両眼立体視用の画像を左右反転して表示する際に正しい立体感を観察者に知覚させる表示制御装置、撮像装置、制御方法、プログラム、及び記録媒体を提供することを目的とする。
【課題を解決するための手段】
【０００７】
前述の目的を達成するために、本発明の表示制御装置は、以下の構成を備える。
両眼立体視に係る左眼用及び右眼用の画像を取得する取得手段と、取得手段により取得された左眼用及び右眼用の画像に対し、表示用の画像処理を適用する画像処理手段と、画像処理手段により表示用の画像処理が適用された左眼用及び右眼用の画像を両眼立体視可能に表示する表示装置に出力する表示出力手段と、を有し、表示出力手段は、表示装置において左眼用として表示される画像を出力する左眼用表示出力手段と、表示装置において右眼用として表示される画像を出力する右眼用表示出力手段と、有し、表示出力手段は、画像処理手段により画像の左右を反転する画像処理が適用される場合に、左右反転された左眼用の画像を右眼用表示出力手段に出力させ、左右反転された右眼用の画像を左眼用表示出力手段に出力させることを特徴とする。
【発明の効果】
【０００８】
このような構成により本発明によれば、両眼立体視用の画像を左右反転して表示する際に正しい立体感を観察者に知覚させることが可能となる。
【図面の簡単な説明】
【０００９】
【図１】本発明の実施形態に係るデジタルカムコーダ１００の構成を示したブロック図
【図２】本発明の実施形態に係る表示部１０８の通常設置状態を説明するための図
【図３】本発明の実施形態に係る表示部１０８の表裏反転された状態を説明するための図
【図４】本発明の実施形態に係る両眼立体視の破たんを説明するための図
【図５】本発明の実施形態１に係るデジタルカムコーダ１００で実行される表示制御処理を例示したフローチャート
【発明を実施するための形態】
【００１０】
［実施形態１］
以下、本発明の例示的な実施形態について、図面を参照して詳細に説明する。なお、以下に説明する一実施形態は、表示制御装置の一例としての、両眼立体視用の画像撮影及び画像表示が可能なデジタルカムコーダに、本発明を適用した例を説明する。しかし、本発明は、両眼立体視用の左眼用及び右眼用の画像を出力することが可能な任意の機器に適用可能である。
【００１１】
《デジタルカムコーダ１００の構成》
図１は、本発明の実施形態に係るデジタルカムコーダ１００の機能構成を示すブロック図である。
【００１２】
制御部１０１は、例えばＣＰＵであり、デジタルカムコーダ１００が有する各ブロックの動作を制御する。具体的には制御部１０１は、ＲＯＭ１０２に記憶された各ブロックの動作プログラムを読み出し、ＲＡＭ１０３に展開して実行することにより各ブロックの動作を制御する。
【００１３】
ＲＯＭ１０２は、例えば書き換え可能な不揮発性メモリである。ＲＯＭ１０２は、デジタルカムコーダ１００が有する各ブロックの動作プログラムに限らず、各ブロックの動作において必要となるパラメータ等を記憶する。ＲＡＭ１０３は、ワーキングメモリとして用いられる揮発性メモリである。ＲＡＭ１０３は、各ブロックの動作プログラムの展開領域としてだけでなく、各ブロックの動作において出力された中間データ等を記憶する格納領域としても用いられる。またＲＡＭ１０３は、現在デジタルカムコーダ１００に設定されているモード設定の情報が格納される。本実施形態のデジタルカムコーダ１００は、不図示の操作入力手段により、少なくとも両眼立体視用の撮影を行う撮影モードと両眼立体視用の画像を再生する再生モードとを有するものとする。
【００１４】
撮像部１０５は、例えばＣＣＤやＣＭＯＳセンサ等の撮像素子を有する。撮像部１０５は、撮像光学系１０４を介して撮像素子面に結像された光学像を光電変換し、アナログ画像信号を取得する。また撮像部１０５は、アナログ画像信号に対してＡ／Ｄ変換処理を適用し、デジタル画像信号（以下、単に画像）を出力する。本実施形態のデジタルカムコーダ１００は、両眼立体視に用いる左眼用及び右眼用の画像を撮像するために、２つの撮像光学系１０４及び撮像部１０５を備える、所謂二眼構成の撮像装置である。２つの撮像光学系１０４は、基線長を設けて配設されており、それぞれに対応した撮像部１０５に水平視差を有する光学像を結像する。
【００１５】
なお、以下の説明において撮像光学系１０４及び撮像部１０５は、「左眼用」の撮像に係る構成には「Ｌ」を付し、「右眼用」の撮像に係る構成には「Ｒ」を付すものとする。また、Ｌ及びＲを付さずに撮像光学系１０４及び撮像部１０５を表記する場合は、左眼用及び右眼用の両方、あるいはそのいずれであってもよいことを示すものとする。
【００１６】
画像処理部１０６は、入力された画像に対して、後述する表示部１０８に表示するための表示用の画像処理を含む、種々の画像処理を適用する。画像処理部１０６に入力される画像は、撮像部１０５から出力された画像や、後述する記録媒体１１１に記録されている画像であってよい。
【００１７】
表示部１０８は、例えばＬＣＤ等の、本実施形態のデジタルカムコーダ１００が有する表示装置である。本実施形態の表示部１０８は、時分割で左眼用及び右眼用の画像を交互に表示するものである。観察者は、表示される左眼用及び右眼用の画像の切り替えタイミングに同期して開閉を切り替える液晶シャッタ眼鏡を使用することで、表示部１０８の表示内容を立体として知覚することができる。具体的には液晶シャッタ眼鏡は、表示部１０８の表示内容が左眼用の画像である場合には、左眼に対応する液晶シャッタを透過状態とし、右眼に対応する液晶シャッタを非透過状態とする。また表示部１０８の表示内容が右眼用の画像である場合には、右眼に対応する液晶シャッタを透過状態とし、右眼に対応する液晶シャッタを非透過状態とする。つまり、各眼球において視認されるべき画像が表示部１０８に表示される場合に、画像に係る光を対応する眼球に入射させ、視認されるべきではない画像が表示される場合に、画像に係る光を遮蔽することで、各眼球が異なる画像を視認する両眼立体視が実現される。
【００１８】
なお、表示部１０８の表示に係る制御は、表示制御部１０７により行われる。具体的には表示制御部１０７は、入力された両眼立体視に係る左眼用及び右眼用の画像の各々を、適切なタイミングで表示部１０８に表示させる制御を行う。
【００１９】
同期信号発生部１０９は、表示部１０８における左眼用及び右眼用の画像が切り替わるタイミングを、観察者が装着する液晶シャッタ眼鏡に指示するための同期信号を発生する。同期信号は、例えば赤外光の発光により示されてよく、発光時は左眼用の画像、非発光時は右眼用の画像が表示部１０８に表示されることを通知すればよい。液晶シャッタ眼鏡側では、同期信号を受け、いずれの液晶シャッタを透過状態にするか制御される。
【００２０】
状態検出部１１０は、本実施形態のデジタルカムコーダ１００が有する表示部１０８の設置状態を検出する。ここで、本実施形態の表示部１０８がとり得る設置状態について、図を用いて説明する。図２（ａ）及び（ｂ）は、例えば通常撮影時における表示部１０８の設置状態を示している。なお、通常撮影時とは、被写体と撮影者が正対しており、撮影者側に表示部１０８の表示面が向けられている状態を指すものとする。通常撮影時において、図２（ｂ）に示されるようにデジタルカムコーダ１００側面からヨー方向に９０度回転して開かれることで、撮影者に表示面が向いた状態となる。
【００２１】
本実施形態の表示部１０８はさらに、図示されるようなピッチ方向の回転機構を有しており、ピッチ方向に１８０度回転されることによって、図３に示されるように被写体側に表示面が向いた状態となる。図３は、例えば所謂自分撮り撮影時における表示部１０８の設置状態を示している。なお、自分撮り撮影時において、被写体と撮影者とは同一である。ピッチ方向の回転前後で、表示部１０８は表裏が反転した状態となる。なお、表示部１０８が表裏反転するようにピッチ方向で回転された場合、表示装置の上下反転している。
【００２２】
状態検出部１１０は、例えば回転機構内に設けられた回転検出用スイッチであり、本実施形態においては、表示部１０８が表裏反転されたか否かを検出し、その検出結果を制御部１０１に伝える。
【００２３】
記録媒体１１１は、例えばメモリカードやＨＤＤ等、デジタルカムコーダ１００に着脱可能に接続された記録装置である。記録媒体１１１には、撮像部１０５により撮影されて得られた静止画像や動画像が記録される。
【００２４】
《画像の左右反転処理による両眼立体視の破たん》
次に、本実施形態のデジタルカムコーダ１００において、被写体側に表示部１０８の表示面が向けられた状態で撮影を行う際に生じる両眼立体視の破たんについて、図４を参照して詳細を説明する。
【００２５】
撮影時に被写体側に表示部１０８の表示面が向けられる場合、上述した特許文献１のように左右が反転された画像を表示することで、被写体側から見た撮影対象（被写体）の位置関係が容易に把握できるようになる。本実施形態のデジタルカムコーダ１００のように、表示部１０８が両眼立体視可能な表示装置であって、撮像部１０５により撮像された画像がスルー表示される場合を考える。
【００２６】
表示部１０８の表示面が被写体と逆方向に向けられる通常の設置状態では、表示部１０８に交互に表示される左眼用及び右眼用の画像は、図４（ａ）及び（ｂ）のようであったとする。図では（ａ）が左眼用の画像、（ｂ）が右眼用の画像を示しており、被写体であるサイコロには２つの画像間でずれが生じている。
【００２７】
このとき、表示部１０８の表示面が表裏反転されて被写体方向に向けられた場合、表示部１０８に表示するために各画像に対して左右反転する画像処理を適用すると、得られる左眼用及び右眼用の画像は図４（ｃ）及び（ｄ）のようになる。しかしながら、このように反転された画像をそれぞれ左右反転前と同一の眼球に視認されるように表示した場合、両眼立体視が不可能であったり、あるいは立体感が異なって提示されたりすることになる。
【００２８】
これは、両眼立体視が行われる際には、立体感を知覚するために左右の眼の視線が交差する（輻輳）ことになるが、輻輳により規定される視線方向における対象の「見え」が左右反転により変わることで、対象の状態が正しく知覚できなくなることに起因する。例えば、観察者の左眼が、特定の視線方向において図４（ａ）のように対象が見えていた場合に、視線方向をそのままで図４（ｃ）のように対象の見えを変更した場合を考える。このとき、本来遮蔽されて見えないはずの方向に像（サイコロの２の目）が見えているため、本来よりもサイコロ自体が画面左方向に向かって回転したように知覚される。一方、右眼についても図４（ｂ）のように見えていた対象の見えを図４（ｄ）のように変更することで、本来よりもサイコロ自体が画面右方向に向かって回転したように知覚される。このような２つの画像で両眼立体視を行ったとしても、正しい立体像に知覚されないことになる。
【００２９】
本実施形態のデジタルカムコーダ１００では、左右反転により両眼立体視が破たんしてしまうことを回避するため、左眼用及び右眼用の画像について左右反転処理が適用されて表示部１０８に表示される場合に、各画像が表示されるタイミングを入れ替える。即ち、液晶シャッタの左眼のシャッタが透過状態となる際には、左右反転された右眼用の画像を表示部１０８に表示させ、右眼のシャッタが透過状態となる際には、左右反転された左眼用の画像を表示させる。
【００３０】
つまり、表示部１０８に左右反転されていない画像が両眼立体視可能に表示される場合は、
2014057219.tif 000003
のように、観察者の左眼及び右眼に視認される画像が表示されるタイミングに、対応する撮像部１０５により撮像された画像が表示制御部１０７から出力される。これに対し、表示部１０８に左右反転された（鏡像関係にある）画像が両眼立体視可能に表示される場合は、
2014057219.tif 000004
のように、観察者の左眼及び右眼に視認される画像が表示されるタイミングに、反対の眼球に対応する撮像部１０５により撮像された画像が表示制御部１０７から出力される。
【００３１】
このようにすることで、左右反転された場合であっても、破たんなく両眼立体視による立体を観察者に知覚させることができる。
【００３２】
《表示制御処理》
以下、上述のような構成をもつ本実施形態のデジタルカムコーダ１００において行われる表示制御処理について、図５のフローチャートを用いて具体的な処理を説明する。該フローチャートに対応する処理は、制御部１０１が、例えばＲＯＭ１０２に記憶されている対応する処理プログラムを読み出し、ＲＡＭ１０３に展開して実行することにより実現することができる。なお、本表示制御処理は、例えばデジタルカムコーダ１００が起動された際に開始され、繰り返し実行されるものとして説明する。
【００３３】
Ｓ５０１で、制御部１０１は、現在デジタルカムコーダ１００に設定されているモードが、撮影モードと再生モードのいずれであるかを判断する。制御部１０１は、現在設定されているモードが撮影モードであると判断した場合は処理をＳ５０２に移し、再生モードであると判断した場合は処理をＳ５０６に移す。
【００３４】
Ｓ５０２で、制御部１０１は、状態検出部１１０により検出された表示部１０８の状態が通常設置状態であるか、表裏反転されたと判断される設置状態であるかを判別する。即ち、制御部１０１は、表示部１０８への表示において画像に左右反転処理を適用する必要がない設置状態であるか、適用する必要がある設置状態であるかを判別する。なお、表裏反転されたと判断される設置状態は、上述したように表示部１０８がピッチ方向に１８０度回転している必要はなく、表示方法を切り替えると予め定められた角度範囲にあれば、該設置状態であるとみなすものとする。制御部１０１は、表示部１０８の状態が通常設置状態であると判別した場合は処理をＳ５０３に移し、表裏反転された設置状態であると判別した場合はＳ５０４に移す。
【００３５】
Ｓ５０３で、制御部１０１は、撮像部１０５から出力された左眼用及び右眼用の画像を表示制御部１０７に伝送し、所定のタイミングで出力して表示部１０８に表示させる。具体的には表示制御部１０７は、観察者の左眼に視認される画像が表示部１０８に表示されるタイミング（左眼の液晶シャッタが透過、右眼の液晶シャッタが遮蔽）に撮像部１０５Ｌの出力した左眼用の画像を表示部１０８に出力して表示させる。また表示制御部１０７は、右眼に視認される画像が表示されるタイミング（右眼の液晶シャッタが透過、左眼の液晶シャッタが遮蔽）に撮像部１０５Ｒの出力した右眼用の画像を出力して表示させる。
【００３６】
一方、Ｓ５０２において表示部１０８が表裏反転された設置状態であると判別した場合、制御部１０１はＳ５０４で、撮像部１０５から出力された左眼用及び右眼用の画像について、画像処理部１０６に表示用の画像処理を適用させる。本実施形態のデジタルカムコーダ１００では、表示部１０８が表裏反転にピッチ方向の回転が用いられるため、表示画像には左右反転処理に加えて上下反転処理が必要となる。画像処理部１０６は、左眼用及び右眼用の画像のそれぞれについて上下反転処理及び左右反転処理を適用する。
【００３７】
Ｓ５０５で、制御部１０１は、画像処理部１０６により表示用の画像処理が適用された左眼用及び右眼用の画像を表示制御部１０７に伝送し、所定のタイミングで出力して表示部１０８に表示させる。具体的には表示制御部１０７は、観察者の左眼に視認される画像が表示部１０８に表示されるタイミングに、撮像部１０５Ｒが出力し、画像処理部１０６により左右反転処理が適用された右眼用の画像を表示部１０８に出力して表示させる。また表示制御部１０７は、観察者の右眼に視認される画像が表示されるタイミングに、撮像部１０５Ｌが出力し、画像処理部１０６により左右反転処理が適用された左眼用の画像を表示部１０８に出力して表示させる。即ち、表示部１０８が表裏反転された設置状態において表示部１０８に表示される左眼用及び右眼用の画像の出力タイミングは、通常設置状態における該画像についての出力タイミングを入れ替えたタイミングに変更される。
【００３８】
またＳ５０１においてデジタルカムコーダ１００のモードが再生モードであると判断した場合、制御部１０１はＳ５０６で、表示部１０８の状態が通常設置状態であるか、表裏反転された状態であるかを判別する。制御部１０１は、表示部１０８の状態が通常設置状態であると判別した場合は処理をＳ５０７に移し、表裏反転された設置状態であると判別した場合は処理をＳ５０８に移す。
【００３９】
Ｓ５０７で、制御部１０１は、記録媒体１１１から読み出した、再生対象である画像ファイルあるいは動画像ファイルに係る左眼用及び右眼用の画像を表示制御部１０７に伝送し、所定のタイミングで出力して表示部１０８に表示させる。具体的には表示制御部１０７は、観察者の左眼に視認される画像が表示部１０８に表示されるタイミングに、再生対象である画像ファイルあるいは動画像ファイルに係る左眼用の画像を表示部１０８に出力し表示させる。また表示制御部１０７は、観察者の右眼に視認される画像が表示されるタイミングに、再生対象である画像ファイルあるいは動画像ファイルに係る右眼用の画像を表示部１０８に出力し表示させる。
【００４０】
一方、Ｓ５０６において表示部１０８が表裏反転された設置状態であると判別した場合、制御部１０１はＳ５０８で、再生対象である画像ファイルあるいは動画像ファイルを記録媒体１１１から読み出す。そして制御部１０１は、再生対象である画像ファイルあるいは動画像ファイルに係る左眼用及び右眼用の画像を画像処理部１０６に伝送し、表示用の画像処理を適用させる。画像処理部１０６は、再生対象である左眼用及び右眼用の画像のそれぞれについて上下判定処理を適用する。記録された両眼立体視用のコンテンツについては、左右反転表示の必要性がない。このため、本実施形態のデジタルカムコーダ１００では、再生モードにおいて表示部１０８が表裏判定された設置状態である場合は、上下反転処理のみを適用した画像が表示部１０８に表示される。
【００４１】
Ｓ５０９で、制御部１０１は、画像処理部１０６により表示用の画像処理が適用された左眼用及び右眼用の画像を表示制御部１０７に伝送し、所定のタイミングで出力して表示部１０８に表示させる。具体的には表示制御部１０７は、観察者の左眼に視認される画像が表示部１０８に表示されるタイミングに、上下反転処理が適用された、再生対象である画像ファイルあるいは動画像ファイルに係る左眼用の画像を表示部１０８に出力して表示させる。また表示制御部１０７は、観察者の右眼に視認される画像が表示部１０８に表示されるタイミングに、上下反転処理が適用された、再生対象である画像ファイルあるいは動画像ファイルに係る右眼用の意画像を表示部１０８に出力して表示させる。
【００４２】
以上説明したように、本実施形態の表示制御装置は、両眼立体視用の画像を左右反転して表示する際に正しい立体感を観察者に知覚させることができる。具体的には表示制御装置は、取得した両眼立体視に係る左眼用及び右眼用の画像に画像の左右を反転する画像処理が適用される場合に、左右反転された左眼用の画像を、表示装置において右眼用として表示される右眼用表示出力として出力する。また左右反転された右眼用の画像を、表示装置において左眼用として表示される左眼用表示出力として出力する。そして表示装置は、これらの左眼用及び右眼用の画像を両眼立体視可能に表示する。
【００４３】
［変形例］
上述した実施形態では液晶シャッタ方式において、左右反転した左眼用及び右眼用の画像を両眼立体視可能に表示する際に、表示部１０８において表示されるタイミングを入れ替えることで両眼立体視が正常に行われるようにする例について説明した。しかしながら、液晶シャッタ方式において本発明はこれに限らず、液晶シャッタ眼鏡の透過タイミングを異ならせることによって実現されてもよい。本変形例では、左右反転した左眼用及び右眼用の画像を両眼立体視可能に表示する際に、液晶シャッタ眼鏡の透過と遮蔽を切り替えるタイミングを異ならせることにより、正しい立体感を観察者に知覚させる方法について説明する。
【００４４】
表示部１０８に左右反転されていない画像が両眼立体視可能に表示される場合は、
2014057219.tif 000005
のように、左眼用及び右眼用の撮像部１０５により撮像された画像が表示されるタイミングに、対応する眼球の液晶シャッタが透過状態となり、対応していない他方の眼球が遮蔽状態となる。これに対し、表示部１０８に左右反転された（鏡像関係にある）画像が両眼立体視可能に表示される場合は、
2014057219.tif 000006
のように、左眼用及び右眼用の撮像部１０５により撮像された画像が表示されるタイミングに、対応していない眼球の液晶シャッタが透過状態となり、対応する眼球の液晶シャッタが遮蔽状態となる。
【００４５】
液晶シャッタ眼鏡のシャッタ状態の制御は同期信号発生部１０９により行われる。つまり、撮影モードにおいて表示部１０８が表裏反転された設置状態となった場合には、制御部１０１は同期信号発生部１０９において同期信号を発生させるタイミングを通常設置状態と入れ替えさせる。例えば通常設置状態において、左眼の液晶シャッタを透過状態にさせるタイミングで信号を送出していた場合、表裏反転された設置状態においては、右眼の液晶シャッタを透過状態にさせるタイミングで信号を送出するように、同期信号発生部１０９は制御される。
【００４６】
このようにすることで、左右反転された場合であっても、破たんなく両眼立体視による立体感を観察者に知覚させることができる。
【００４７】
［実施形態２］
上述した実施形態１及び変形例では、液晶シャッタ方式を用いる態様における本発明の実施について説明した。本実施形態では、液晶シャッタ方式以外の、観察者に両眼立体視を可能ならしめる器具（フィルタを有する眼鏡）を装着させる方式についての本発明の適用について説明する。
【００４８】
液晶シャッタ眼鏡以外の物理的に左右の眼球に入射する光を遮る方式には、直線偏光及び円偏光フィルタを用いる偏光方式、アナグリフやインフィテック等の波長分離方式等がある。このような方式では、観察者に装着される器具との同期をとる必要がないため、同期信号発生部１０９は不要となる。またいずれの方式も、一部の光を通過させるフィルタを観察者の各眼球に対して配置するものであり、これらの方式を用いる場合、表示装置側で表示される画像についてもフィルタに対応させる必要がある。対応させる制御方法については、偏光方式のように表示装置における物理的なハードウェアとしてのフィルタを切り替えて表示する制御方法と、画像処理においてフィルタ処理を切り替えて適用する制御方法とがある。
【００４９】
このような制御方法を利用することで、観察者の左眼及び右眼に視認させる画像を制御することができるため、左右反転処理を適用した撮像画像については、それぞれ反対の眼球のフィルタを通過するように表示制御することができる。つまり、左右反転された場合であっても、破たんなく両眼立体視による立体感を観察者に知覚させることができる。
【００５０】
［実施形態３］
上述した実施形態１及び２と変形例では、画面表示を時分割で異ならせて左眼用及び右眼用の画像を表示させる方式について説明したが、本発明の実施はこれに限らず、左眼用及び右眼用の画像を同時表示する裸眼立体視可能な表示装置にも適用可能である。本実施形態では、視差バリア方式やレンチキュラ方式等を採用する、裸眼立体視可能な表示装置について本発明を適用する例について説明する。
【００５１】
裸眼立体視可能な表示装置は、観察者のそれぞれの眼球位置から見た場合に異なる画像を視認させるよう、表示画像に係る光の通過方向に指向性を持たせている。つまり、表示装置に表示される画像は、表示領域ごとに視認される画像が異ならせて作られた、左眼用及び右眼用の画像の合成画像となっている。
【００５２】
表示部１０８が裸眼立体視可能な表示装置である場合、本発明の適用は次のように表示部１０８の設置状態によって表示制御が異なる。例えば上述したように表示部１０８がピッチ方向の回転によって表裏反転される場合、反転後の設置状態において、左眼用の画像に係る光の通過方向は、通常設置状態における右眼用の画像に係る光の通過方向と同じとなる。即ち、表示部１０８がピッチ方向の回転によって表裏反転される場合は、右眼用の撮像画像が表示される画素は、観察者の左眼で視認されることになる。つまり、ピッチ方向の回転で表裏反転される場合は、特定の表示領域について通常設置状態で観察者が視認する眼球と表裏反転された設置状態で観察者が視認する眼球とが入れ替わるため、左右反転した画像の表示される表示領域を入れ替える制御は必要ない。
【００５３】
一方、例えば表示部１０８がヨー方向の回転によって表裏反転される機構でデジタルカムコーダ１００に設けられていた場合は、このような入れ替わりは生じない。即ち、ヨー方向の回転で表裏反転される場合は、特定の表示領域について通常設置状態で観察者が視認する眼球と表裏反転された設置状態で観察者が視認する眼球とは同一であるので、表示画像を生成する際には、画像の配置領域を入れ替える処理が必要となる。
【００５４】
つまり、裸眼立体視可能な表示装置に本発明を適用する場合は、表示装置の設置状態において観察者の左眼で視認される画素については、左右反転された右眼用の撮像画像を表示し、右眼で視認される画素については、左右反転された左眼用の撮像画像を表示する。このようにすることで、他の実施形態と同様に、左右反転された場合であっても、破たんなく両眼立体視による立体感を観察者に知覚させることができる。
【００５５】
なお、表示制御装置の制御は１つのハードウェアが行ってもよいし、複数のハードウェアが処理を分担することで、装置全体の制御を行ってもよい。
【００５６】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５７】
また、上述した実施形態においては、本発明をデジタルカムコーダに適用した場合を例にして説明したが、これはこの例に限定されず両眼立体視用の左眼用及び右眼用の画像出力が可能である表示制御装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００５８】
［他の実施形態］
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014057219.tif 000007
【図２】
2014057219.tif 000008
【図３】
2014057219.tif 000009
【図４】
2014057219.tif 000010
【図５】
2014057219.tif 000011